【事件の表示】
　平成１１年特許願第３６９７３０号「染色物」拒絶査定不服審判事件〔平成１２年　７月１１日出願公開、特開２０００−１９２３７６〕について、次のとおり審決する。
【結　論】
　本件審判の請求は、成り立たない。
【理　由】
１．手続の経緯及び本願発明
　本願は、平成４年８月３１日に出願した特願平４−２３１８９５号の一部を平成１１年１２月２７日に新たな特許出願としたものであって、その請求項１に係る発明は、その特許請求の範囲の請求項１に記載された次のとおりのものである（以下、「本願発明」という。）。
「表面を昇華性染料で染色したプラスチック基材の表面に、少なくとも、紫外線吸収剤とガラス転移点が５０℃以上の熱可塑性樹脂からなる接着層を介して、透明薄膜層、ホログラム形成層の順に積層されており、
　該透明薄膜層は、該ホログラム形成層よりも屈折率の大きい無機化合物からなり、
　且つ、該ホログラム形成層に設けられたホログラムパターンは少なくとも、規則的な繰り返しパターンを使用しており、該ホログラム形成層は前記基材上の全面上に設けてあることを特徴とする染色物。」
　
２．引用刊行物
　これに対して、当審において平成１６年２月１３日付けで通知した拒絶の理由に引用された特開平２−２１２１９５号公報（以下、「刊行物１」という。）には以下（ａ１）〜（ａ８）の事項が記載されている。
（ａ１）「熱転写画像の表面を保護するラミネートフィルムにおいて、該フィルムがその少なくとも一部にホログラム画像を有し且つ一方の面に接着剤層を有することを特徴とするラミネートフィルム。」（１頁左下欄　特許請求の範囲（１））
（ａ２）「第４図及び第５図は本発明の別の好ましい実施態様を説明する図である。この例の構成は、基本的には第１図乃至第３図示の例と同様であるが、ホログラム画像２は透明型又は半透明型のホログラム画像であって、ラミネートフイルム１の全面に設けられている。この様なラミネートフイルムを前記実施例と同様に熱転写画像８が形成された熱転写受像シート７の表面に接着剤層３を利用してラミネートすることにより、前記と同様にラミネート面から観察される画像は熱転写画像８の他にホログラム画像２が同時に観察されるので、全体的に美観、意匠性及び特異性が向上する。特にこの場合には、ホログラム画像２は透明性又は半透明性であるので、下地となる熱転写画像８と重なってもよく、更に美観、意匠性及び特異性等が向上するので好ましい。又、ラミネートフイルム１の表面には硬度の高い樹脂により表面保護層９を形成してもよい。」（２頁右下欄１〜１８行）
（ａ３）「 第４図を用いてレリーフホログラムを説明する。レリーフホログラムは、支持層２（本発明ではラミネートフイルム２に対応する）、ホログラム形成層５及びホログラム効果層４が順次積層された構成を有している。
  この様なホログラムシートは、例えば、ポリエチレンテレフタレートフイルム等の支持体フイルム２の表面に、常温で固体で熱形成性を有する樹脂層、例えば、常温で固体で且つ熱可塑性の電離放射線硬化性樹脂層５（ホログラム形成層）を形成し、この面にホログラムの干渉模様が凹凸形状に形成されているホログラム原版（不図示）を加圧接触させて凹凸形状６を樹脂層５に転写し、硬化させ、更にその凹凸形状６の表面に十分な透明性と或る角度での大きな反射性を兼ね備え、且つホログラム形成層５と屈折率が異なる材料（例えばアルミニウム蒸着薄膜）からなる薄膜のホログラム効果層４を形成することによって得られる。これらの形成材料及び形成方法は前述の通り従来公知の材料及び方法でよい。」（３頁右上欄１４行〜左下欄１３行）
（ａ４）「上記ホログラム画像２の表面に形成する接着剤層３は、加熱によって軟化して接着性を発揮する感熱接着剤でもよいし、又、粘着剤から形成し加圧によって接着性を発揮する感圧性接着剤のいずれでもよい。この様な感熱接着剤及び感圧接着剤はいずれも公知であり、公知の接着剤はいずれも本発明でそのまま使用することが出来る。」（３頁右下欄６〜１２行）、
（ａ５）「１例として昇華型の熱転写受像シートの例について説明すると、この受像シートは適当な基材フイルム上に染料受容層を形成したものであり、従来よりこの種の被熱転写シートの受容層に使用されているものであれば、どのようなものであっても使用可能である。」（４頁右上欄５〜１０行）
（ａ６）「本発明において上記染料受容層中に必要により紫外線吸収剤を添加することも出来る。紫外線吸収剤を添加することにより、熱転写シートより移行して受容層上に染着した染料の耐候性が向上する。」（４頁右下欄６〜１０行）
（ａ７）「（効果）
　以上の如き本発明によれば、ラミネートフイルムの少なくとも一部にホログラム画像を形成し、且つ一方の面に接着剤層を設け、これを熱転写画像面にラミネートすることによって、転写印字画像に優れた画像耐久性を与えるとともに、一層優れた美観及び特異性或いは意匠性を与えることが出来る。特にこのラミネートフイルムをＩＤカード等の作成に利用する場合には、ホログラム画像は簡単な設備や小規模事業所では作成困難である為に偽造防止性や改ざん防止性に優れる。」（５頁左下欄１〜１１行）
（ａ８）「実施例１
  大日本印刷株式会社製の透明型レインボーホログラムシート（Ａ３版サイズ、厚み５０μｍ）の表面にエチレン−酢酸ビニル共重合体の溶液を塗工及び乾燥させて、厚み約２０μｍの接着剤層を形成して本発明のラミネートフイルムを得た。
  一方、イエロー、マゼンタ及びシアンの３色の昇華型熱転写シートと、表面に染料受容層を形成した硬質塩化ビニル樹脂製カード基材とを、夫々の染料層と染料受容面とを対向させて重ね合せ、感熱昇華転写プリンター（ＶＹ−５０、（株）日立製作所製）を用いて、９０ｍＪ／ｍｍ2の印字エネルギーで熱転写シートの裏面からサーマルヘッドで順次熱転写を行い、イエロー、シアン及びマゼンタの３色からなる６人分のフルカラー顔写真、サイン、生年月日、住所及び所属団体名等を記録した。
  上記画像面に前記のラミネートフイルムを熱により貼り合せ且つ６個に裁断して６人分のＩＤカードを作成した。」（５頁左下欄１６〜右下欄１５行）
　以上の記載から刊行物１には、ＩＤカード等に用いられるラミネート構造物であって、「昇華性染料の熱転写画像８が形成されたプラスチックシート等からなる熱転写受像シート７の表面に、接着剤層３、ホログラム形成層５と屈折率が異なる材料、例えばアルミニウム蒸着薄膜からなる透明なホログラム効果層４、熱転写受像シートの全面に設けられたホログラム形成層５及びラミネートフィルム１が順に積層され、熱転写受像シート７の染料受容層には耐候性の向上を図るために必要により紫外線吸収剤が添加されたラミネート構造物」に関する発明が記載されているものと認められる。
　
　同じく、当審において平成１６年２月１３日付けで通知した拒絶の理由に引用された特開平４−１５８０３３号公報（以下、「刊行物２」という。）には次の記載がある。
（ｂ１）「（課題を解決するための手段）
　この目的を達成するため、請求項（１）記載の発明は、表面を昇華性染料で染色したプラスチック基材の表面に、紫外線吸収剤を含む接着層を介して、昇華性染料の拡散防止層及び表面保護層を順次積層して成る染色物を提供する。」（２頁左下欄７〜１２行）
（ｂ２）「接着層（２）はプラスチック材料表面に接着すると共に紫外線を遮断して染料による画像の変褪色を防止するもので、可塑剤の侵入の促進を防ぐため、拡散防止層（３）とは別個に、しかも拡散防止層（３）よりプラスチック材料よりに設けられる。かかる理由から紫外線吸収剤と熱可塑性樹脂の混合物から成る。」（３頁左下欄９〜１５行）
（ｂ３）「接着層（２）に使用する熱可塑性樹脂はガラス転移点（Ｔｇ）が５０℃以上のものが使用できる。ガラス転移点の温度が５０℃未満の樹脂を使用すると、転写の後、この樹脂により染料のマイグレーションが生じ、画像のにじみが発生する。」（４頁左上欄８〜１２行）
　
　同じく、当審において平成１６年２月１３日付けで通知した拒絶の理由に引用された特開昭６１−２５４９７５号公報（以下、「刊行物３」という。）には次の記載がある。
（ｃ１）「透明連続薄膜４はホログラム層２の屈折率（通常、屈折率：ｎ＝１．３〜１．６である）よりも大きい屈折率を有するもので、従来の反射性金属薄膜を設けるのと同様な位置に形成でき、このような薄膜４の材質としては（以下、材質名の右にカッコ書きで屈折率：ｎを付記する）、Sb2S3(n=3.0)、Fe2O3(n=2.7)、TiO2(n=2.6)、CdS(n=2.6)、CeO2(n=2.3)、ZnS(n=2.3)、PbCl2(n=2.3)、CdO(n=2.2)、Sb2O3(n=2.0)、WO3(n=2.0)、SiO(n=2.0)、Bi2O3(n=2.5)、In2O3(n=2.0)、PbO(n=2.6)、Ta3O5(n=2.4)、ZnO(n=2.1)、ZrO2(n=2.0)、Cd2O3(n=1.8)、Al2O3(n=1.6)、CaO ・ SiO2(n=1.8)などが挙げられる。
　上記薄膜４はその屈折率がホログラム層２の屈折率よりも０．３以上大きいことが好ましく、より好ましくは０．５以上大きいことである。本発明者等の実験によれば１．０以上大きいことが最適であるという結果がもたらされている。」（４頁左下欄８〜右下欄５行）
　
３.対比
　そこで、本願発明と刊行物１に記載された発明とを対比すると、刊行物１に記載の発明に係る「プラスチックシートからなる熱転写受像シート」、「接着剤層」、「ホログラム効果層」及び「ラミネート構造物」は、それぞれ本願発明に係る「プラスチック基材」、「接着層」、「透明薄膜層」及び「染色物」に実質的に相当し、また、刊行物１の受像シートの表面も昇華性染料で染色されているものであるから、結局、両者は、「表面を昇華性染料で染色したプラスチック基材の表面に、接着層を介して、透明薄膜層、ホログラム形成層の順に積層されており、
　該透明薄膜層は、該ホログラム形成層よりも屈折率の異なる材料からなり、該ホログラム形成層は前記基材上の全面上に設けてあることを特徴とする染色物。」である点で一致し、次の点で相違する。
相違点１
　本願発明に係る接着層は紫外線吸収剤とガラス転移点が５０℃以上の熱可塑性樹脂からなるのに対し、刊行物１に係る接着層にはそのような構成に関する記載がない点。
相違点２
　本願発明に係る薄膜層はホログラム形成層よりも屈折率の大きい無機化合物からなるのに対し、刊行物１に記載のものは、アルミニウム蒸着薄膜等のホログラム形成層とは異なる屈折率を有する材料からなる点。　　
相違点３
　本願発明において、ホログラム形成層に設けられたホログラムパターンは少なくとも規則的な繰り返しパターンを使用しているのに対し、刊行物１にはその旨の記載がない点。
　
４．当審の判断
相違点１について；
　刊行物１において、「接着剤層３は、加熱によって軟化して接着性を発揮する感熱接着剤でもよい」との記載（上記（ａ４）参照）及び接着剤の材料として熱可塑性樹脂であるエチレン−酢酸ビニル共重合体が用いられるとの記載（上記（ａ７）参照）から、刊行物１に記載の接着層も熱可塑性樹脂からなるものと認められ、また、接着層に用いられる熱可塑性樹脂のガラス転移点を５０℃以上とすることも刊行物２に記載されている。
　また、刊行物１のものも、耐候性等の向上のために紫外線吸収材を染色物積層体の一つの層に含有させており、さらに、刊行物２には、本願発明と同様に染色物に関する発明で、染色物の接着層中に紫外線吸収剤を含有させることが示されているから、本願発明のように接着層に紫外線吸収剤を含有させることは格別の創意工夫を要しないものである。。
　以上から、上記相違点１のように接着層を紫外線吸収剤とガラス転移点が５０℃以上の熱可塑性樹脂から構成することは、上記刊行物１及び２に記載された発明に基づけば、当業者が容易に想到することができたものである。
相違点２について；
　刊行物３には、クレジットカード等に形成されるホログラムに関するもので、ホログラム効果を高めるために屈折率の大きな無機化合物層をホログラム形成層に隣接して設けることが記載されている。してみれば、刊行物１に記載の発明に係るアルミニウム蒸着薄膜等からなる薄膜層としてホログラム形成層よりも屈折率の大きい無機化合物を用い、上記相違点２の構成とすることは、当業者であれば適宜採用することができたものである。
相違点３について；
　ホログラムパターンとして規則的な繰り返しパターンを用いるかは否かは単なる設計事項にすぎない。
　
　そして、本願発明の作用効果も、上記刊行物１ないし３及び周知技術から当業者が予測できる範囲のものである、
　
５．むすび
　以上のとおりであるから、本願発明は、刊行物１ないし３に記載された発明に基づいて当業者が容易に発明することができたものであるから、特許法第２９条第２項の規定により、特許を受けることができない。
　よって、結論のとおり審決する。